(57)【要約】【課題】  換気や出入りが可能でありながらも低コストで運用することができる塗装工事中の家屋の窓を被覆する窓用被覆材を提供する。【解決手段】  塗装工事中の家屋２７の窓１１、１１を被覆する被覆部１２を有する被覆材本体部１３と、被覆部１２を開放して、窓１１、１１を開放しうる被覆片部１４とを有する窓用被覆材１０において、被覆片部１４は被覆部１２の一部に設けられた切込部１５ａ、１５ｂ、１５ｃによって画成されると共に、切込部１５ａ、１５ｂ、１５ｃには被覆部１２及び被覆片部１４を互いに係脱自在に係止しうる係止部１６が設けられている。【選択図】図１
0003210330.tif 000002
【実用新案登録請求の範囲】
【請求項１】
塗装工事中の家屋の窓を被覆する被覆部を有する被覆材本体部と、前記被覆部を開放して、前記窓を開放しうる被覆片部とを有する窓用被覆材において、
前記被覆片部は前記被覆部の一部に設けられた切込部によって画成されると共に、前記切込部には前記被覆部及び前記被覆片部を互いに係脱自在に係止しうる係止部が設けられていることを特徴とする窓用被覆材。
【請求項２】
前記切込部は前記被覆部の周縁部から所定間隔寸法内方へ離間して形成されると共に、前記被覆片部は略台形状に形成されていることを特徴とする請求項１記載の窓用被覆材。
【請求項３】
前記被覆材本体部は開口部を有する袋状に形成されると共に、前記開口部の周縁部には、前記開口部を前記窓の窓枠に着脱可能に固定しうる固定部が設けられていることを特徴とする請求項１記載の窓用被覆材。
【請求項４】
前記開口部の周縁部には弾性部材が設けられ、前記弾性部材が前記開口部を前記窓枠に対して押圧することにより前記被覆材本体部を前記窓枠に固定することを特徴とする請求項３記載の窓用被覆材。
【請求項５】
前記係止部は、線ファスナーであることを特徴とする請求項１記載の窓用被覆材。
【考案の詳細な説明】
【技術分野】
【０００１】
本考案は、窓用被覆材に係り、特に、塗装工事中の家屋において窓の汚損等を防ぐための被覆材に関するものである。
【背景技術】
【０００２】
従来より、家屋の塗装工事においては、塗装工事中に窓が塗料等によって汚損するといった事態を防止するために、養生シートと呼ばれる被覆材によって窓を被覆している。
しかしながら、前記被覆材によって窓を被覆した場合には、窓を開放することができないため、窓を開けて換気をしたり、窓から室内外への出入りをしたりすることができなくなるといった不具合が生じていた。
【０００３】
前記不具合を解決するために、例えば、特許文献１には、養生シートの少なくとも一か所に、開口部と、前記開口部を開閉可能に被覆する開閉シートとを有する窓用養生シートが記載されている。
しかしながら、特許文献１にあっては、前記開閉シートを巻き取って固定するような大掛かりな構成を有しているため、製造時にコストがかかるという不具合があった。また、養生シート自体が汚損した場合には、交換時にもコストがかかるという不具合もあった。
【先行技術文献】
【特許文献】
【０００４】
【特許文献１】特開２００５−１８８１４５号公報
【考案の概要】
【考案が解決しようとする課題】
【０００５】
本考案は、以上のような従来からの不具合を解消するためのものであって、その課題は、換気や出入りが可能でありながらも低コストで運用することができる塗装工事中の家屋の窓を被覆する窓用被覆材を提供することにある。
【課題を解決するための手段】
【０００６】
前記課題を解決するために、請求項１記載の考案にあっては、塗装工事中の家屋の窓を被覆する被覆部を有する被覆材本体部と、前記被覆部を開放して、前記窓を開放しうる被覆片部とを有する窓用被覆材において、前記被覆片部は前記被覆部の一部に設けられた切込部によって画成されると共に、前記切込部には前記被覆部及び前記被覆片部を互いに係脱自在に係止しうる係止部が設けられていることを特徴とする。
【０００７】
従って、前記被覆材本体部を塗装工事中の家屋の窓に装着した場合には、前記被覆部によって前記窓が被覆される一方で、前記係止部を係脱させ、前記被覆部の一部に前記切込部によって画成された前記被覆片部を開放した場合には、前記被覆部の一部が開放され、その結果、前記窓が開放可能な状態になる。
【０００８】
請求項２記載の考案にあっては、前記切込部は前記被覆部の周縁部から所定間隔寸法内方へ離間して形成されると共に、前記被覆片部は略台形状に形成されていることを特徴とする。
【０００９】
従って、前記被覆片部は、前記被覆部の周縁部から所定間隔寸法内方へ離間して略台形状に形成され、略台形状に形成された前記被覆片部を開放した場合には、前記被覆部によって被覆された前記窓が開放可能な状態になる。
【００１０】
請求項３記載の考案にあっては、前記被覆材本体部は開口部を有する袋状に形成されると共に、前記開口部の周縁部には、前記開口部を前記窓の窓枠に着脱可能に固定しうる固定部が設けられていることを特徴とする。
【００１１】
従って、袋状に形成された前記被覆材本体部の開口部を、前記窓枠に被せるように装着した場合には、前記被覆材本体部が前記固定部によって前記窓枠に固定される。
【００１２】
請求項４記載の考案にあっては、前記開口部の周縁部には弾性部材が設けられ、前記弾性部材が前記開口部を前記窓枠に対して押圧することにより前記被覆材本体部を前記窓枠に固定することを特徴とする。
【００１３】
従って、前記開口部を前記窓枠に被せるように装着した場合には、前記弾性部材によって前記開口部が前記窓枠に対して押圧され、前記被覆材本体部が前記窓枠に固定される。
【００１４】
請求項５記載の考案にあっては、前記係止部は、線ファスナーであることを特徴とする。
従って、前記被覆部及び前記被覆片部が前記線ファスナーによって互いに係脱自在に係止される。
【考案の効果】
【００１５】
請求項１記載の窓用被覆材にあっては、前記被覆材本体部を塗装工事中の家屋の窓に装着した場合には、前記被覆部によって前記窓が被覆される一方で、前記係止部を係脱させ、前記被覆部の一部に前記切込部によって画成された前記被覆片部を開放した場合には、前記被覆部の一部が開放され、その結果、前記窓が開放可能な状態になる。
従って、従来の窓用被覆材にあっては、開閉するシートを巻き取って固定するような大掛かりな構成を有しているため、製造時にコストがかかるという不具合があったのに対して、請求項１記載の窓用被覆材にあっては、前記係止部を係脱するだけで、前記被覆片部を開放して、前記窓を開放することができる。
また、請求項１記載の窓用被覆材にあっては、前記被覆片部は前記被覆部の一部に設けられているので、前記被覆部又は前記被覆片部が汚損した場合であっても、被覆材自体を交換することで、前記被覆部及び前記被覆片部を容易に交換することができる。
その結果、換気や出入りが可能でありながらも低コストで運用することができる塗装工事中の家屋の窓を被覆する窓用被覆材を提供することができる。
【００１６】
請求項２記載の窓用被覆材にあっては、前記被覆片部は、前記被覆部の周縁部から所定間隔寸法内方へ離間して略台形状に形成され、略台形状に形成された前記被覆片部を開放した場合には、前記被覆部によって被覆された前記窓が開放可能な状態になるので、例えば、被覆片部が三角形状、又は、長方形状に形成された場合に比して、前記窓の開放面積を十分に確保できると共に、窓用被覆材として十分な耐久性を維持することができる。
【００１７】
請求項３記載の窓用被覆材にあっては、袋状に形成された前記被覆材本体部の開口部を、前記窓枠に被せるように装着した場合には、前記被覆材本体部が前記固定部によって前記窓枠に固定されるので、前記被覆材本体部を前記窓枠に対して確実に固定することができる。
【００１８】
請求項４記載の窓用被覆材にあっては、前記開口部を前記窓枠に被せるように装着した場合には、前記弾性部材によって前記開口部が前記窓枠に対して押圧され、前記被覆材本体部が前記窓枠に固定されるので、前記被覆材本体部を前記窓枠に対して容易に装着することができる。
【００１９】
請求項５記載の窓用被覆材にあっては、前記被覆部及び前記被覆片部が線ファスナーからなる前記係止部によって互いに係脱自在に係止されるので、迅速かつ容易に前記被覆片部を開放することができると共に、低コストで窓用被覆材を製造することができる。
【図面の簡単な説明】
【００２０】
【図１】図１は、本考案の一実施の形態に係る窓用被覆材において、窓枠に固定した状態を示す斜視図である。
【図２】図２は、本考案の一実施の形態に係る窓用被覆材において、窓枠に固定した状態を示す正面図である。
【図３】図３は、本考案の一実施の形態に係る窓用被覆材において、図１のＩＩ−ＩＩ線相当断面図である。
【図４】図４は、本考案の一実施の形態に係る窓用被覆材において、窓枠に固定した状態を示す、図１のＩＩ−ＩＩ線相当断面図である。
【考案を実施するための形態】
【００２１】
以下、添付図面に示す実施の形態に基づき、本考案を詳細に説明する。
図１〜図４に示すように、本考案の一実施の形態に係る窓用被覆材１０は、全体が透明な合成樹脂製であって、塗装工事中の家屋２７の窓１１、１１を被覆する被覆部１２を有する略長方形状の被覆材本体部１３と、被覆部１２を開放して、窓１１、１１を開放しうる被覆片部１４とを有している。
また、図１〜図４に示すように、本実施の形態に係る被覆片部１４は、被覆部１２の一部に設けられた切込部１５ａ、１５ｂ、１５ｃによって画成されると共に、切込部１５ａ、１５ｂ、１５ｃには被覆部１２及び被覆片部１４を互いに係脱自在に係止しうる係止部１６が設けられている。
図１及び図２に示すように、本実施の形態に係る係止部１６は、引手２５を有する線ファスナーとして構成されている。
【００２２】
また、図１〜図４に示すように、本実施の形態に係る切込部１５ａ、１５ｂ、１５ｃは、被覆部１２の周縁部１７ａ、１７ｂ、１７ｃに沿って、周縁部１７ａ、１７ｂ、１７ｃから夫々、間隔寸法Ｌ１、Ｌ２、Ｌ３内方へ離間して形成され、全体として略コ字状のスリットとして形成されている。
その結果、図１及び図２に示すように、係止部１６において引手２５を全開させた場合には、被覆片部１４は略台形状に形成される。
【００２３】
また、図１〜図４に示すように、本実施の形態に係る被覆材本体部１３は、開口部２０を有する袋状に形成されると共に、開口部２０の周縁部２１には、開口部２０を窓１１、１１の窓枠２２に着脱可能に固定しうる固定片部２６、２６、２６、２６が設けられている。
図１〜図４に示すように、本実施の形態に係る固定片部２６、２６・・・には、長方形状の両面テープ２３、２３・・・が配設され、固定片部２６、２６・・・を窓枠２２に対して着脱可能に固定するように構成されている。
図示しないが、両面テープ２３、２３・・・には、剥離紙が取り付けられ、窓枠２２への取付時に剥離して両面テープ２３、２３・・・を使用できるように構成されている。
【００２４】
また、図１〜図４に示すように、本実施の形態に係る開口部２０の周縁部２１には、ゴム紐からなる弾性部材２４が設けられ、弾性部材２４が開口部２０の周縁部２１を窓枠２２に対して、図３及び図４中の矢印Ａ、Ａ’方向に押圧することにより、被覆材本体部１３を窓枠２２に固定するように構成されている。
【００２５】
以下、本実施の形態に係る窓用被覆材１０の効果について説明する。
図１〜図４に示すように、本考案の一実施の形態に係る窓用被覆材１０を使用する場合には、塗装工事中の家屋２７の窓枠２２に対して、被覆材本体部１３の開口部２０を被せるように取り付ける。その結果、被覆部１２によって窓１１、１１を被覆することができる。
一方で、窓１１、１１を開放する場合には、図１〜図４に示すように、引手２５により線ファスナーからなる係止部１６を係脱させ、被覆部１２の一部に切込部１５ａ、１５ｂ、１５ｃによって画成された略台形状の被覆片部１４を開放する。その結果、被覆部１２の一部が開放され、窓１１、１１を開放することができる。
【００２６】
以上より、従来の窓用被覆材にあっては、開閉するシートを巻き取って固定するような大掛かりな構成を有しているため、製造時にコストがかかるという不具合があったのに対して、本実施の形態に係る窓用被覆材１０にあっては、係止部１６を係脱するだけで、被覆片部１４を開放して、窓１１、１１を開放することができる。
また、図１〜図４に示すように、本実施の形態に係る窓用被覆材１０にあっては、被覆片部１４は被覆部１２の一部に設けられているので、被覆部１２又は被覆片部１４が汚損した場合であっても、被覆材１０自体を交換することで、被覆部１２及び被覆片部１４を容易に交換することができる。
その結果、換気や出入りが可能でありながらも低コストで運用することができる塗装工事中の家屋の窓を被覆する窓用被覆材を提供することができる。
【００２７】
また、図１〜図４に示すように、本実施の形態に係る窓用被覆材１０にあっては、被覆片部１４は、被覆部１２の周縁部１７ａ、１７ｂ、１７ｃから所定間隔寸法Ｌ１、Ｌ２、Ｌ３内方へ離間して略台形状に形成され、略台形状に形成された被覆片部１４を開放した場合には、被覆部１２によって被覆された窓１１、１１が開放可能な状態になるので、例えば、被覆片部が三角形状、又は、長方形状に形成された場合に比して、窓１１、１１の開放面積を十分に確保できると共に、窓用被覆材として十分な耐久性を維持することができる。
【００２８】
また、図１〜図４に示すように、本実施の形態に係る窓用被覆材１０にあっては、袋状に形成された被覆材本体部１３の開口部２０を、窓枠２２に被せるように装着した場合には、被覆材本体部１３が両面テープ２３が配設された固定片部２６、２６・・・によって窓枠２２に固定されるので、被覆材本体部１３を窓枠２２に対して確実に固定することができる。
【００２９】
また、図１〜図４に示すように、本実施の形態に係る窓用被覆材１０にあっては、被覆材本体部１３の開口部２０を窓枠２２に被せるように装着した場合には、ゴム紐からなる弾性部材２４によって開口部２０が窓枠２２に対して押圧され、被覆材本体部１３が窓枠２２に固定されるので、被覆材本体部１３を窓枠２２に対して容易に装着することができる。
【００３０】
また、図１〜図４に示すように、本実施の形態に係る窓用被覆材１０にあっては、被覆部１２及び被覆片部１４が線ファスナーからなる係止部１６によって互いに係脱自在に係止されるので、迅速かつ容易に前記被覆片部を開放することができると共に、低コストで窓用被覆材を製造することができる。
【産業上の利用可能性】
【００３１】
本考案は、塗装工事中の家屋の窓を被覆する窓用被覆材として広く使用することができ、産業上の利用可能性を有している。
【符号の説明】
【００３２】
１０…窓用被覆材
１１…窓
１２…被覆部
１３…被覆材本体部
１４…被覆片部
１５ａ、１５ｂ、１５ｃ…切込部
１６…係止部
１７ａ、１７ｂ、１７ｃ…被覆部の周縁部
２０…開口部
２１…開口部の周縁部
２２…窓枠
２３…両面テープ
２４…弾性部材
２５…引手
２６…固定片部
２７…家屋
【図１】
0003210330.tif 000003
【図２】
0003210330.tif 000004
【図３】
0003210330.tif 000005
【図４】
0003210330.tif 000006